(57)【要約】    【課題】  計量機能を有する米びつとワゴンとを一体化し、あるいは多様な米びつの収納に対応可能なワゴンを提供し、もって米びつの利便性を向上することを課題とする。    【解決手段】  米びつ付きワゴン１のワゴン３０に、前部フレーム３１の下部から後部フレーム３２まで延びて米びつ２０が載置される底板３８と、底板３８の上方において前後のフレーム３１，３２間に架設された左右一対の上部及び中間パイプ３４，３４，３５，３５とを備える。米びつ２０をその本体２１の前面をワゴン３０の一方の側面側に向け、かつ、底板３８に前部フレーム３１側に寄せて載置すると共に、米びつ２０の直後方に上部パイプ３４，３４で支持された棚板３７を設ける。その場合、一方の上部パイプ３４を米びつ２０の残量窓２３の視認性を損なわない高さに、また、一方の中間パイプ３５を米びつ２０の操作レバー２４，２５の押下操作を補助可能な高さに設ける。【選択図】    図２
2005319012.tif 000002
【特許請求の範囲】
【請求項１】
計量機能を有する米びつを備えたワゴンであって、前面と、該前面の下部から後方に延びて米びつが載置される底板と、該底板の上方の左右両側部において前後方向に架設された棒材とが備えられており、米びつは、上記底板に前面側に寄せられて載置されていると共に、該米びつの直後方から底板の後端部上方にかけて、上記左右両側の棒材で支持された棚板が設けられていることを特徴とする米びつ付きワゴン。
【請求項２】
米びつは、米を収容する箱状の本体と、該本体の前面に上から順に設けられた米の残量を確認するための残量窓、所定量の米を計量して排出するために押下操作する操作部材、及び排出される米を受ける受皿とを有し、かつ、該米びつは、本体の前面をワゴンの一方の側面側に向けて載置されていることを特徴とする請求項１に記載の米びつ付きワゴン。
【請求項３】
米びつ本体の前面が向く側面側の棒材は、残量窓の視認性を損なわない高さに設けられていることを特徴とする請求項２に記載の米びつ付きワゴン。
【請求項４】
米びつ本体の前面が向く側面側における操作部材の押下操作を補助可能な高さに、第２の棒材が設けられていることを特徴とする請求項２または請求項３に記載の米びつ付きワゴン。
【請求項５】
複数の脚部で支持されたキッチン本体を有する下部開放型システムキッチンの下部空間に収納可能とされていることを特徴とする請求項１から請求項４のいずれかに記載の米びつ付きワゴン。
【請求項６】
計量機能を有する米びつの搭載が可能とされたワゴンであって、前面と、該前面の下部から後方に延びて米びつが載置される底板と、該底板の上方の左右両側部において前後方向に架設された棒材とが備えられており、米びつを底板に前面側に寄せて載置したとき、該米びつの直後方から底板の後端部上方にかけて配設される前後方向の寸法を選択可能な棚板が、上記左右両側の棒材で支持されて設けられていることを特徴とする米びつ用ワゴン。
【請求項７】
本体の前面に米の残量を確認するための残量窓が設けられた米びつが、その本体前面をワゴンの一方の側面側に向けて底板に載置されたときに、上記残量窓の視認性を損なわないように、一方の側面側の棒材の架設高さが調節可能とされていることを特徴とする請求項６に記載の米びつ用ワゴン。
【請求項８】
底板の上方の左右両側部において前後方向に架設された第２の棒材を備え、本体の前面に所定量の米を計量して排出するために押下操作する操作部材が設けられた米びつが、その本体前面をワゴンの一方の側面側に向けて底板に載置されたときに、上記操作部材の押下操作を補助可能な高さに、一方の側面側の第２の棒材の架設高さが調節可能とされていることを特徴とする請求項６または請求項７に記載の米びつ用ワゴン。
【請求項９】
複数の脚部で支持されたキッチン本体を有する下部開放型システムキッチンの下部空間に収納可能とされていることを特徴とする請求項６から請求項８のいずれかに記載の米びつ用ワゴン。
【発明の詳細な説明】
【技術分野】
【０００１】
本発明は、米びつ付きワゴン及び米びつ用ワゴンに関し、台所用家具の技術分野に属する。
【背景技術】
【０００２】
従来、一般家庭において、米を収容すると共に必要に応じて米を取り出すための米びつが広く使用されている。例えば、特許文献１には、システムキッチンにおいて、引出可能な収納庫の箱状本体に固定された計量機能を有する米びつが開示されている。この米びつでは、ボタンを押圧することにより、所定量の米を受皿に取り出すことができるようになっている。
【０００３】
一方、特許文献２には、引出し形状の容器を三段に重ねた移動可能なキャビネットにおいて、上段容器を台所用品収納用、下段容器をペットボトル等の収納用、そして、蓋付きの中段容器を米びつとして使用するものが開示されている。
【０００４】
【特許文献１】特開２００２−６５４８２号公報
【特許文献２】特開平１０−９９２１６号公報
【発明の開示】
【発明が解決しようとする課題】
【０００５】
ところで、上記特許文献１に記載の米びつは、システムキッチンの収納庫に固定されているため、設置場所を柔軟に選択することができなく、使い勝手の点で問題がある。また、この収納庫の収納空間が特定の米びつの収納に限定されているため、収納性の点で問題があるだけでなく、仕様の異なる米びつに柔軟に対応することができないという問題もある。
【０００６】
そこで、本発明は、以上の現状に鑑み、計量機能を有する米びつとワゴンとを一体化し、あるいは多様な米びつの収納に対応可能なワゴンを提供し、もって米びつの利便性を向上することを課題とする。
【課題を解決するための手段】
【０００７】
上記課題を解決するため、本発明は次のように構成したことを特徴とする。
【０００８】
まず、請求項１に記載の発明は、計量機能を有する米びつを備えたワゴンに関するもので、前面と、該前面の下部から後方に延びて米びつが載置される底板と、該底板の上方の左右両側部において前後方向に架設された棒材とが備えられており、米びつは、上記底板に前面側に寄せられて載置されていると共に、該米びつの直後方から底板の後端部上方にかけて、上記左右両側の棒材で支持された棚板が設けられていることを特徴とする。
【０００９】
次に、請求項２に記載の発明は、上記請求項１に記載の米びつ付きワゴンにおいて、米びつは、米を収容する箱状の本体と、該本体の前面に上から順に設けられた米の残量を確認するための残量窓、所定量の米を計量して排出するために押下操作する操作部材、及び排出される米を受ける受皿とを有し、かつ、該米びつは、本体の前面をワゴンの一方の側面側に向けて載置されていることを特徴とする。
【００１０】
また、請求項３に記載の発明は、上記請求項２に記載の米びつ付きワゴンにおいて、米びつ本体の前面が向く側面側の棒材は、残量窓の視認性を損なわない高さに設けられていることを特徴とする。
【００１１】
また、請求項４に記載の発明は、上記請求項２または請求項３に記載の米びつ付きワゴンにおいて、米びつ本体の前面が向く側面側における操作部材の押下操作を補助可能な高さに、第２の棒材が設けられていることを特徴とする。
【００１２】
そして、請求項５に記載の発明は、上記請求項１から請求項４のいずれかに記載の米びつ付きワゴンにおいて、複数の脚部で支持されたキッチン本体を有する下部開放型システムキッチンの下部空間に収納可能とされていることを特徴とする。
【００１３】
一方、請求項６に記載の発明は、計量機能を有する米びつの搭載が可能とされたワゴンに関するもので、前面と、該前面の下部から後方に延びて米びつが載置される底板と、該底板の上方の左右両側部において前後方向に架設された棒材とが備えられており、米びつを底板に前面側に寄せて載置したとき、該米びつの直後方から底板の後端部上方にかけて配設される前後方向の寸法を選択可能な棚板が、上記左右両側の棒材で支持されて設けられていることを特徴とする。
【００１４】
また、請求項７に記載の発明は、上記請求項６に記載の米びつ用ワゴンにおいて、本体の前面に米の残量を確認するための残量窓が設けられた米びつが、その本体前面をワゴンの一方の側面側に向けて底板に載置されたときに、上記残量窓の視認性を損なわないように、一方の側面側の棒材の架設高さが調節可能とされていることを特徴とする。
【００１５】
また、請求項８に記載の発明は、上記請求項６または請求項７に記載の米びつ用ワゴンにおいて、底板の上方の左右両側部において前後方向に架設された第２の棒材を備え、本体の前面に所定量の米を計量して排出するために押下操作する操作部材が設けられた米びつが、その本体前面をワゴンの一方の側面側に向けて底板に載置されたときに、上記操作部材の押下操作を補助可能な高さに、一方の側面側の第２の棒材の架設高さが調節可能とされていることを特徴とする。
【００１６】
そして、請求項９に記載の発明は、上記請求項６から請求項８のいずれかに記載の米びつ用ワゴンにおいて、複数の脚部で支持されたキッチン本体を有する下部開放型システムキッチンの下部空間に収納可能とされていることを特徴とする。
【発明の効果】
【００１７】
まず、請求項１に記載の発明によれば、計量機能を有する米びつは、ワゴン前面と棚板の前方縁部と棒材とで支持されて位置ずれや転倒が防止され、底板に安定的に載置されるようになる。したがって、移動する際にも米びつの姿勢が安定し、また、米びつから米を取り出す際の操作性が担保される。その上で、ワゴンと一体化された米びつは移動自在であるので、設置場所を柔軟に選択することができ、利便性が向上する。
【００１８】
また、棚板に、例えば炊飯器等を載置して収納することができ、米びつ付きワゴンの収納性が向上する。なお、底板の残されたスペースにも、収納物を載置して収納することができる。
【００１９】
次に、請求項２に記載の発明によれば、米びつの構成と載置姿勢とが一層具体化され、これにより、計量されて受皿に排出された米をワゴンの一側方から容易に取り出すことができる。
【００２０】
また、請求項３に記載の発明によれば、一方の棒材を米びつの残量窓の視認性を損なわない高さに設けたので、該棒材により、残量窓の視認性を損なうことなく棚板や米びつを支持することができる。
【００２１】
また、請求項４に記載の発明によれば、第２の棒材を米びつの操作部材の押下操作を補助可能な高さに設けたので、例えば第２の棒材で親指以外の４本の指を支えつつ親指で操作部材を押し下げるようにすると、操作部材に押下力が有効に作用するようになり、もって米の取出作業が一層容易となる。
【００２２】
そして、請求項５に記載の発明によれば、米びつ付きワゴンは下部開放型システムキッチンの下部空間に収納可能であるので、必要に応じてこの空間から引き出して米を取り出したのち、再び下部空間に収納することができる。したがって、このタイプのシステムキッチンの下部空間が有効に利用されるようになる。
【００２３】
一方、請求項６に記載の発明によれば、搭載する米びつの寸法等に応じて、米びつを後方から適切に支持することができる寸法の棚板を選択することができるので、該棚板と棒材とにより、多様な米びつを安定的に収納可能なワゴンが実現され、もって米びつの利便性が向上する。
【００２４】
また、棚板に、例えば米袋や炊飯器等を載置して収納することができ、ワゴンの収納性が向上する。なお、底板の残されたスペースにも、収納物を載置して収納することができる。
【００２５】
また、請求項７に記載の発明によれば、米びつを所定姿勢で底板に載置したときに、一方の棒材を米びつの残量窓の視認性を損なわない高さに調節可能としたので、搭載する米びつに応じて棒材の架設高さを適正に調節することにより、上記請求項３に記載の発明におけると同様に、残量窓の視認性を損なうことなく棚板や米びつを支持することができる。
【００２６】
また、請求項８に記載の発明によれば、一方の第２の棒材を米びつの操作部材の押下操作を補助可能な高さに調節可能に設けたので、搭載する米びつに応じて第２の棒材の架設高さを適正に調節することにより、上記請求項４に記載の発明におけると同様に、例えば第２の棒材で親指以外の４本の指を支えつつ親指で操作部材を押し下げるようにすると、操作部材に押下力が有効に作用するようになり、もって米の取出作業が一層容易となる。
【００２７】
そして、請求項９に記載の発明によれば、上記請求項５に記載の発明におけると同様に、下部開放型システムキッチンの下部空間が有効に利用されるようになる。
【発明を実施するための最良の形態】
【００２８】
まず、本発明の実施の形態に係る米びつ付きワゴンについて説明する。
【００２９】
図１に示すように、この米びつ付きワゴン１は、システムキッチン２の下部空間Ｓに矢印で示すように出入可能とされている。すなわち、システムキッチン２は下部開放型のもので、複数の脚部１１ａ…１１ａで支持されたキッチン本体１１と、シンクやガスコンロ等が設けられてキッチン本体１１の上部に載置されたワークトップ１２とを有し、キッチン本体１１と脚部１１ａ…１１ａとで形成された空間Ｓに、米びつ２０とワゴン３０とを有する米びつ付きワゴン１が収納可能とされている。
【００３０】
図２〜図４に基づき、米びつ付きワゴン１について詳しく説明する。なお、以下の説明において、特に断らない限り、「前、後」とあるのは米びつ付きワゴン１の移動方向の「前側、後側」を示し、一方、「左、右」とあるのは平面視で移動方向の前側から見たときの「左側、右側」を示す。
【００３１】
米びつ２０は計量機能を有するもので、米を収容する箱状の本体２１と、本体２１上面に設けられた米を供給するための開口を覆う蓋２２と、本体２１前面の概ね中央位置に設けられて米の残量を確認するための残量窓２３と、残量窓２３の下方に設けられて米を排出するために押下操作する一対の操作レバー２４，２５と、本体２１下部に引出可能に収納されて排出された米を受ける受皿２６とを有している。なお、上記操作レバー２４，２５は、例えば一合用と二合用とが備えられており、これらのレバー２４，２５を押し下げることにより、所定量に計量された米が受皿２６に向けて排出される。
【００３２】
ワゴン３０は、正面視門型に形成された前後のフレーム３１，３２と、前部フレーム３１の前面に固定された前板３３と、前後のフレーム３１，３２間に架設されたそれぞれ左右一対の上部、中間、及び下部パイプ３４，３４，３５，３５，３６，３６と、上部及び下部パイプ３４，３４，３６，３６でそれぞれ支持された棚板３７及び底板３８とを有している。
【００３３】
また、前板３３の前面上部には、取っ手３９が固定されていると共に、各フレーム３１，３２下部には、それぞれ２個のキャスタ４０，４０が取り付けられている。そして、上記米びつ２０は、底板３８に前部フレーム３１側に寄せられ、かつ、該米びつ２０の前面側つまり受皿２６の引出方向をワゴン３０の一方の側面側つまり図例上右側に向けた姿勢で載置されている。
【００３４】
上部、中間、及び下部パイプ３４，３４，３５，３５，３６，３６は、前後のフレーム３１，３２における所定の高さに溶接等の適宜手段によって固定されている。すなわち、下部パイプ３６，３６は、底板３８に載置された米びつ２０が、前部フレーム３１によっても支持されるような高さに設けられている。その上で、上部パイプ３４，３４は、米びつ２０の残量窓２３の視認性を損なわない高さつまり該残量窓２３の直下に設けられている。そして、中間パイプ３５，３５は、米びつ２０の操作レバー２４，２５の押下操作を補助可能な高さつまり押下終点位置直下に設けられている。
【００３５】
棚板３７及び底板３８は、それぞれ左右一対の側縁部が下方に折り曲げられており、これら折曲部３７ａ，３７ａ，３８ａ，３８ａを介して上部及び下部パイプ３４，３４，３６，３６に着脱可能に係合している。そして、棚板３７は、米びつ２０の直後方から後部フレーム３２にかけて、上部パイプ３４，３４間をほぼ覆う寸法とされる一方、底板３８は前部フレーム３１から後方に後部フレーム３２まで延びて、下部パイプ３６，３６間をほぼ覆う寸法とされている。
【００３６】
以上のように構成したことにより、この米びつ付きワゴン１では、まず、計量機能を有する米びつ２０は、ワゴン３０の前面つまり前部フレーム３１と棚板３７の前方縁部と上部及び中間パイプ３４，３４，３５，３５とによって支持されて、位置ずれや転倒が防止され、底板３８に安定的に載置されるようになる。その結果、移動する際にも米びつ２０の姿勢が安定し、また、米びつ２０から米を取り出す際の操作性が担保される。その上で、ワゴン３０と一体化された米びつ２０は、前板３３に固定された取っ手３９を介して引いたり押したりすることによって移動自在であるので、設置場所を柔軟に選択することができ、利便性が向上する。
【００３７】
また、棚板３７に、一例として図２及び図３に示すように、五合炊きの炊飯器Ｊを載置して収納することができ、米びつ付きワゴン１の収納性が向上する。なお、底板３８の残されたスペースにも、収納物を載置して収納することができる。
【００３８】
また、米びつ２０は、底板３８に前部フレーム３１側に寄せられ、かつ、該米びつ２０の前面側つまり受皿２６の引き出し方向をワゴン３０の一方の側面側に向けた姿勢で載置されているので、図３に細い鎖線で示すように、計量されて受皿２６に排出された米をワゴン３０の側方から容易に取り出すことができる。
【００３９】
また、図２に示したように、上部パイプ３４，３４を米びつ２０の残量窓２３の視認性を損なわない高さに設けたので、該上部パイプ３４，３４により、残量窓２３の視認性を損なうことなく棚板３７や米びつ２０を支持することができる。
【００４０】
また、図２に示したように、中間パイプ３５，３５を米びつ２０の操作レバー２４，２５の押下操作を補助可能な高さに設けたので、図５に示すように、中間パイプ３５で親指以外の４本の指を支えつつ、親指で米びつ２０に２つある操作レバー２４，２５のうちの例えば一合用の操作レバー２４を押し下げるようにすると、該操作レバー２４に押下力が有効に作用するようになり、もって米の取出作業が一層容易となる。
【００４１】
そして、米びつ付きワゴン１は、下部開放型システムキッチン２の下部空間Ｓに収納可能であるので、必要に応じてこの空間Ｓから引き出して米を取り出したのち、再び上記空間Ｓに収納することができる。したがって、このタイプのシステムキッチン２の下部空間Ｓが有効に利用されるようになる。
【００４２】
なお、図２に細い鎖線で示すように、前述した棚板３７と例えば同寸法の別なる棚板３７′を新設し、該棚板３７′を中間パイプ３５，３５で支持するようにしてもよい。これにより、該棚板３７′にも収納物を載置して収納することができるので、さらに収納性が向上する。
【００４３】
また、上記棚板３７を中間パイプ３５，３５で支持するように移設してもよい。これにより、移設された棚板３７に、例えば一升炊き炊飯器のような比較的高さの高い収納物を載置して収納することができる。その結果、この米びつ付きワゴン１を、システムキッチン２のキッチン本体１１に干渉することなく、下部空間Ｓに押し込んで収納することができるようにもなる。
【００４４】
また、上部、中間、及び下部パイプ３４，３４，３５，３５，３６，３６で棚板３７，３７′及び底板３８を支持する場合、図６に棚板３７を例にとって示すように、該棚板３７の下面において折曲部３７ａと上部パイプ３４を挟んで反対側に、ばね性を有するＬ字状の係合部材４１を取り付けてもよい。これにより、折曲部３７ａと係合部材４１とで上部パイプ３４を挟み付けることができるので、上部パイプ３４，３４による棚板３７の支持が一層確固たるものとなる。棚板３７′や底板３８については説明を省略するが、いずれの場合にも前述した棚板３７における効果と同様の効果が得られる。
【００４５】
次に、本発明の実施の形態に係る及び米びつ用ワゴンについて説明する。なお、以下の説明において、特に断らない限り、「前、後」とあるのは米びつ用ワゴンの移動方向の「前側、後側」を示し、一方、「左、右」とあるのは平面視で移動方向の前側から見たときの「左側、右側」を示す。
【００４６】
図７に示すように、この米びつ用ワゴン１３０は、前述した下部開放型システムキッチン２の下部空間Ｓに収納可能とされている。そして、米びつ用ワゴン１３０は、前述した米びつ付きワゴン１におけるワゴン３０に概ね類似の構成とされており、多様な米びつを搭載可能である。図例では、前述した米びつ２０とは寸法等の仕様を幾分異にする米びつ１２０が搭載されている。
【００４７】
まず、米びつ１２０は計量機能を有するもので、前述した米びつ２０と同様に、米を収容する箱状の本体１２１と、本体１２１上部に設けられた米を供給するための開口を覆う図示しない蓋と、本体１２１前面の概ね中央位置に設けられて米の残量を確認するための残量窓１２３と、残量窓１２３の下方に設けられて米を排出するために押下操作する一対の操作レバー１２４，１２５と、本体１２１下部に引き出し可能に収納されて排出された米を受ける受皿１２６とを有している。
【００４８】
本発明の特徴部分であるワゴン１３０は、前述したワゴン３０と同様に、正面視門型に形成された前後のフレーム１３１，１３２と、前部フレーム１３１の前面に固定された前板１３３と、前後のフレーム１３１，１３２間に架設されたそれぞれ左右一対の上部、中間、及び下部パイプ（一方つまり右側のみ図示）１３４，１３４，１３５，１３５，１３６，１３６と、上部及び下部パイプ１３４，１３４，１３６，１３６でそれぞれ支持された棚板１３７及び底板１３８とを有している。
【００４９】
また、前板１３３の前面上部には、取っ手１３９が固定されていると共に、各フレーム１３１，１３２下部には、それぞれ２個のキャスタ（一方つまり右側のみ図示）１４０，１４０が取り付けられている。そして、上記米びつ１２０は、底板１３８に前部フレーム１３１側に寄せられ、かつ、該米びつ１２０の前面側つまり受皿１２６の引出方向をワゴン１３０の一方の側面側に向けた姿勢で載置されている。
【００５０】
上部、中間、及び下部パイプ１３４，１３４，１３５，１３５，１３６，１３６は、前後のフレーム１３１，１３２における所定の高さに設けられている。すなわち、下部パイプ１３６，１３６は、底板１３８に載置された米びつ１２０が、前部フレーム１３１によっても支持されるような高さに、溶接等の適宜手段によって固定されている。
【００５１】
そして、特徴的なこととして、上部パイプ１３４，１３４と中間パイプ１３５，１３５とは、架設高さが調節可能とされている。
【００５２】
すなわち、各フレーム１３１，１３２の左右各側部における上下方向の上部位置及び中間位置に、左右方向に貫通するそれぞれ３つの貫通穴１３１ａ〜１３１ｃ，１３１ｄ〜１３１ｆ，１３２ａ〜１３２ｃ，１３２ｄ〜１３２ｆが設けられている。また、上部及び中間パイプ１３４，１３４，１３５，１３５が架設される前部フレーム１３１の左右各側部の後面と後部フレーム１３２の左右各側部の前面とに、上下方向に所定範囲にわたって矩形状の切り欠きが設けられている。一方、上部及び中間パイプ１３４，１３４，１３５，１３５のそれぞれ両端部に、軸心に直交する方向の貫通穴が設けられている。
【００５３】
図８に、一例として中間パイプ１３５側かつ後部フレーム１３２側を示すように、後部フレーム１３２では、右側側部に左右方向に貫通する貫通穴１３２ｅが設けられていると共に右側側部の前面に切り欠き１３２ｇが設けられている。また、上記切り欠き１３２ｇを介して角パイプでなる後部フレーム１３２に突入した中間パイプ１３５の端部に、軸心に直交する方向の貫通穴１３５ａが設けられている。そして、中間パイプ１３５は、後部フレーム１３２側の貫通穴１３２ｅと自身の貫通穴１３５ａとを介してボルト１４２によって後部フレーム１３２に固定されている。なお、中間パイプ１３５側かつ前部フレーム１３１側、あるいは上部パイプ１３４側における各パイプ１３４，１３５の各フレーム１３１，１３２への固定構造は、図８に準じているため説明は省略する（図７も参照）。
【００５４】
その場合、本実施の形態では、図７に示すように、上部パイプ１３４，１３４は、搭載される米びつ１２０の残量窓１２３の視認性を損なわない高さつまり該残量窓１２３の直上に、一方、中間パイプ１３５，１３５は、搭載される米びつ１２０の操作レバー１２４，１２５の押下操作を補助可能な高さつまり該操作レバー１２４，１２５の押下終点位置直下に設けられている。
【００５５】
そして、棚板１３７及び底板１３８は、それぞれ左右一対の側縁部が下方に折り曲げられており、これらの折曲部（一方つまり右側のみ図示）１３７ａ，１３７ａ，１３８ａ，１３８ａを介して上部及び下部パイプ１３４，１３４，１３６，１３６に着脱可能に係合している。また、棚板１３７は、米びつ１２０の直後方から後部フレーム１３２にかけて、上部パイプ１３４，１３４間をほぼ覆う寸法のものが選択可能とされる一方、底板１３８は前部フレーム１３１から後方に後部フレーム１３２まで延びて、下部パイプ１３６，１３６間をほぼ覆う寸法とされている。
【００５６】
以上のように構成したことにより、この米びつ用ワゴン１３０では、搭載する米びつ１２０の寸法等に応じて、米びつ１２０を直後方から適切に支持することができる寸法の棚板１３７を選択することができるので、該棚板１３７と上部及び中間パイプ１３４，１３４，１３５，１３５とにより、該米びつ１２０に限らず多様な米びつを安定的に保持可能なワゴン１３０が実現され、もって米びつ１２０の利便性が向上する。
【００５７】
また、棚板１３７に、例えば炊飯器等を載置して収納することができ、ワゴン１３０の収納性が向上する。なお、底板１３８の残されたスペースにも、収納物を載置して収納することができる。
【００５８】
また、図７に示したように、米びつ１２０の前面側をワゴン１３０の一方の側面側に向けて底板１３８に載置したとき、上部パイプ１３４，１３４を、米びつ１２０の残量窓１２３の視認性を損なうような太い鎖線で示す高さではなく、実線で示すような視認性を損なわない高さに調節可能としたので、米びつ１２０に応じて上部パイプ１３４，１３４の架設高さを適正に調節することにより、残量窓１２３の視認性を損なうことなく棚板１３７や米びつ１２０を支持することができる。
【００５９】
また、中間パイプ１３５，１３５を、搭載する米びつ１２０の操作レバー１２４，１２５の押下操作を補助可能な高さに調節可能としたので、米びつ１２０に応じて中間パイプ１３５，１３５の架設高さを適正に調節することにより、先に図５に基づいて説明したと同様に、例えば中間パイプ１３５，１３５で親指以外の４本の指を支えつつ、親指で操作レバー１２４，１２５を押し下げるようにすると、操作レバー１２４，１２５に押下力が有効に作用するようになり、もって米の取出作業が一層容易となる。
【００６０】
そして、説明は省略するが、米びつ用ワゴン１３０は、前述した下部開放型システムキッチン２の下部空間Ｓに収納可能であるので、必要に応じてこの空間から引き出して米を取り出したのち、再び上記空間Ｓに収納することができる。したがって、このタイプのシステムキッチン２の下部空間Ｓが有効に利用されるようになる。
【００６１】
なお、前述した米びつ用ワゴン１３０では、上部及び中間パイプ１３４，１３４，１３５，１３５の架設高さを調節可能とするため、前後のフレーム１３１，１３２の左右各側部の上部及び中間位置にそれぞれ３つの貫通穴１３１ａ〜１３１ｃ，１３１ｄ〜１３１ｆ，１３２ａ〜１３２ｃ，１３２ｄ〜１３２ｆを設けたが、これに代わり、フレーム１３１，１３２の左右各側部の上部及び中間位置にそれぞれ１つの貫通長穴を設け、該貫通長穴と各パイプ１３４，１３５側の貫通穴１３５ａ，１３５ａとを介してボルト１４２，１４２によって固定してもよい。これにより、各パイプ１３４，１３５の架設高さを所定範囲内でほぼ連続的に可変とすることができる。
【産業上の利用可能性】
【００６２】
以上説明したように、本発明によれば、計量機能を有する米びつとワゴンとを一体化し、あるいは多様な米びつの収納に対応可能なワゴンを提供し、もって米びつの利便性を向上することが可能となる。すなわち、本発明は、米びつ付きワゴン及び米びつ用ワゴンに関し、台所用家具の技術分野に広く好適である。
【図面の簡単な説明】
【００６３】
【図１】本発明の実施の形態に係る米びつ付きワゴンを収納するシステムキッチンの斜視図である。
【図２】米びつ付きワゴンの側面図である。
【図３】同じく平面図である。
【図４】図２のＡ−Ａ線による矢視図である。
【図５】中間パイプの作用を説明するための図２のＢ線による要部拡大矢視図である。
【図６】上部パイプによる棚板の別なる支持方法について説明するための図４に相当する要部拡大図である。
【図７】本発明の実施の形態に係る米びつ用ワゴンの側面図である。
【図８】図７のＣ−Ｃ線による要部拡大矢視図である。
【符号の説明】
【００６４】
１        米びつ付きワゴン
２        システムキッチン
１１      キッチン本体
１１ａ    脚部
２０      米びつ
２１      本体
２３      残量窓
２４，２５        操作レバー（操作部材）
２６      受皿
３０      ワゴン
３４      上部パイプ（棒材）
３５      中間パイプ（第２の棒材）
３７，３７′      棚板
３８      底板
１２０    米びつ
１２１    本体
１２３    残量窓
１２４，１２５    操作レバー（操作部材）
１２６    受皿
１３０    米びつ用ワゴン
１３４    上部パイプ（棒材）
１３５    中間パイプ（第２の棒材）
１３７    棚板
１３８    底板
Ｓ        下部空間
【図１】
2005319012.tif 000003
【図２】
2005319012.tif 000004
【図３】
2005319012.tif 000005
【図４】
2005319012.tif 000006
【図５】
2005319012.tif 000007
【図６】
2005319012.tif 000008
【図７】
2005319012.tif 000009
【図８】
2005319012.tif 000010